(57)【特許請求の範囲】
【請求項１】
患者の歯型に基づいて作製されたセットアップ歯型模型に、歯科矯正用ワイヤの少なくとも一部を保持するためのワイヤ保持手段を設け、
前記ワイヤ保持手段として、前記歯科矯正用ワイヤが着脱可能な係止部を有するワイヤ係止具を前記セットアップ歯型模型の一部に取り付け、
前記係止部として、前記歯科矯正用ワイヤが嵌入・離脱可能な係止溝を設けた歯科矯正用器具作製治具であって、
前記ワイヤ係止具は、短円柱状の頭部と、前記頭部より外径が小さい円柱状の軸部と、前記軸部の外径と略同じ外径を有する複数の球状部と、を備え、
前記頭部と前記軸部とは同軸をなすように一体的に形成され、複数の前記球状部はそれぞれ前記軸部の下端寄りの外周に一体的に形成され、
前記ワイヤ係止具は前記軸部及び前記球状部を前記セットアップ歯型模型の歯頸部中に埋設した状態で固定されていることを特徴とする歯科矯正用器具作製治具。
【請求項２】
患者の歯型に基づいて作製されたセットアップ歯型模型に設けられたワイヤ保持手段に、歯科矯正用ワイヤの少なくとも一部を保持した状態で、患者の歯と歯科矯正用ワイヤとの間に介在させる歯科矯正用器具の位置合わせを行う歯科矯正用器具作製方法において、
前記ワイヤ保持手段として、前記歯科矯正用ワイヤが着脱可能な係止部を有するワイヤ係止具を前記セットアップ歯型模型の一部に取り付け、
前記係止部として、前記歯科矯正用ワイヤが嵌入・離脱可能な係止溝を設け、
前記ワイヤ係止具は、短円柱状の頭部と、前記頭部より外径が小さい円柱状の軸部と、前記軸部の外径と略同じ外径を有する複数の球状部と、を備え、
前記頭部と前記軸部とは同軸をなすように一体的に形成され、複数の前記球状部はそれぞれ前記軸部の下端寄りの外周に一体的に形成され、
前記ワイヤ係止具は前記軸部及び前記球状部を前記セットアップ歯型模型の歯頸部中に埋設した状態で固定されていることを特徴とする歯科矯正用器具作製方法。
【発明の詳細な説明】
【技術分野】
【０００１】
本発明は、歯列を矯正するために患者の口腔内に装着される歯科矯正用器具を作製する技術に関する。
【背景技術】
【０００２】
患者の歯列を矯正する歯科治療技術の一つとして、アイディアルアーチワイヤやブラケットなどの歯科矯正用器具を歯の裏側に装着して治療を行う舌側矯正が知られている。この舌側矯正において使用される歯科矯正用器具は、個々の患者の歯型に対応した適切な形態にする必要がある。このため、従来の歯科矯正用器具の作製工程においては、患者の口腔内の歯型に倣って形成されたオリジナル歯型模型に基づいて、目標とする理想的な歯並びに配列し直したセットアップ歯型模型を作製し、このセットアップ歯型模型を使用して、アイディアルアーチワイヤの作製及びブラケットの位置決めなどが行われている（例えば、特許文献１参照。）。
【０００３】
特許文献１に記載されているように、従来の歯科矯正用器具の作製工程においては、セットアップ歯型模型の歯の舌側面に合わせて、歯科矯正用のワイヤ材を屈曲させてアイディアルアーチワイヤを作製し、このアイディアルアーチワイヤに、各歯に対応するブラケットを取り付けるという手法がとられている。
【先行技術文献】
【特許文献】
【０００４】
【特許文献１】特開平１１−９９１６１号公報
【発明の概要】
【発明が解決しようとする課題】
【０００５】
特許文献１などに記載されているように、セットアップ歯型模型に対するブラケットの位置決めは、セットアップ歯型模型の歯列に沿うようにアイディアルアーチワイヤを支えながら行われているため、正確な位置決めを行うのは容易ではなく、位置決め作業には多大な時間と労力を要しており、作業者の肉体的負担も大である。
【０００６】
本発明が解決しようとする課題は、セットアップ歯型模型に対するブラケットなどの歯科矯正用器具の位置決め作業を容易かつ正確に行うことができる技術を提供することにある。
【課題を解決するための手段】
【０００７】
本発明の歯科矯正用器具作製治具は、患者の歯型に基づいて作製されたセットアップ歯型模型に、歯科矯正用ワイヤの少なくとも一部を保持するためのワイヤ保持手段を設け、
前記ワイヤ保持手段として、前記歯科矯正用ワイヤが着脱可能な係止部を有するワイヤ係止具を前記セットアップ歯型模型の一部に取り付け、
前記係止部として、前記歯科矯正用ワイヤが嵌入・離脱可能な係止溝を設けた歯科矯正用器具作製治具であって、
前記ワイヤ係止具は、短円柱状の頭部と、前記頭部より外径が小さい円柱状の軸部と、前記軸部の外径と略同じ外径を有する複数の球状部と、を備え、
前記頭部と前記軸部とは同軸をなすように一体的に形成され、複数の前記球状部はそれぞれ前記軸部の下端寄りの外周に一体的に形成され、
前記ワイヤ係止具は前記軸部及び前記球状部を前記セットアップ歯型模型の歯頸部中に埋設した状態で固定されていることを特徴とする。このような構成とすれば、歯科矯正用ワイヤをセットアップ歯型模型のワイヤ保持手段に保持しながら作業を行うことが可能となるので、セットアップ歯型模型に対するブラケットなどの歯科矯正用器具の位置決め作業を容易かつ正確に行うことができる。
【０００８】
また、前記ワイヤ保持手段として、前記歯科矯正用ワイヤが着脱可能な係止部を有する係止具を前記歯型模型の一部に取り付けたことにより、ワイヤ保持手段である係止具の係止部に対し、必要に応じて、歯科矯正用ワイヤを着脱しながら作業を行うことが可能となるので、作業性向上に有効である。
【０００９】
さらに、前記係止部として、前記歯科矯正用ワイヤが嵌入・離脱可能な係止溝を設けているので、歯科矯正用ワイヤを係止溝に嵌入させることにより、確実に保持することができ、歯科矯正用ワイヤの着脱性を失うこともない。
【００１０】
一方、本発明の歯科矯正用器具作製方法は、患者の歯型に基づいて作製されたセットアップ歯型模型に設けられたワイヤ保持手段に、歯科矯正用ワイヤの少なくとも一部を保持した状態で、患者の歯と歯科矯正用ワイヤとの間に介在させる歯科矯正用器具の位置合わせを行う歯科矯正用器具作製方法において、
前記ワイヤ保持手段として、前記歯科矯正用ワイヤが着脱可能な係止部を有するワイヤ係止具を前記セットアップ歯型模型の一部に取り付け、
前記係止部として、前記歯科矯正用ワイヤが嵌入・離脱可能な係止溝を設け、
前記ワイヤ係止具は、短円柱状の頭部と、前記頭部より外径が小さい円柱状の軸部と、前記軸部の外径と略同じ外径を有する複数の球状部と、を備え、
前記頭部と前記軸部とは同軸をなすように一体的に形成され、複数の前記球状部はそれぞれ前記軸部の下端寄りの外周に一体的に形成され、
前記ワイヤ係止具は前記軸部及び前記球状部を前記セットアップ歯型模型の歯頸部中に埋設した状態で固定されていることを特徴とする。このような構成とすれば、セットアップ歯型模型に対するブラケットなどの歯科矯正用器具の位置決め作業を容易かつ正確に行うことができる。
【発明の効果】
【００１１】
本発明により、セットアップ歯型模型に対するブラケットなどの歯科矯正用器具の位置決め作業を容易かつ正確に行うことができる技術を提供することができる。
【図面の簡単な説明】
【００１２】
【図１】本発明の実施形態である歯科矯正用器具作製治具を示す斜視図である。
【図２】図１に示す歯科矯正用器具作製治具を構成する係止具の斜視図である。
【図３】図１に示す歯科矯正用器具作製治具を構成する係止具の斜視図である。
【図４】図１に示す歯科矯正用器具作製治具の使用状態を示す斜視図である。
【発明を実施するための形態】
【００１３】
以下、図１〜図４を参照しながら、本発明の実施形態である歯科矯正用器具作製治具１０について説明する。図１に示すように、歯科矯正用器具作製治具１０は、患者の歯型に倣って形成されたオリジナル歯型模型（図示せず）に基づいて、目標とする理想的な歯並びに配列し直した状態に作製されたセットアップ歯型模型１１に、アイディアルアーチワイヤ２１（図４参照）の素材である歯科矯正用ワイヤ２０の一部を保持するためのワイヤ保持手段として、複数のワイヤ係止具１２，１３が設けられている。複数のワイヤ係止具１２，１３はいずれも、歯型模型１１の歯列部１１ａの舌側部分に配置され、二つのワイヤ係止具１２は奥歯近傍の歯頸部１１ｂに取り付けられ、二つのワイヤ係止具１３は前歯寄りの歯頸部１１ｂに取り付けられている。
【００１４】
図２，図３に示すように、ワイヤ係止具１２，１３はそれぞれ、短円柱状の頭部１２ａ，１３ａと、頭部１２ａ，１３ａより外径が小さい円柱状の軸部１２ｂ，１３ｂと、軸部１２ｂ，１３ｂの外径と略同じ外径を有する複数の球状部１２ｃ，１３ｃと、を備えている。頭部１２ａ，１３ａと軸部１２ｂ，１３ｂとはそれぞれ同軸をなすように一体的に形成され、複数の球状部１２ｃ，１３ｃはそれぞれ軸部１２ｂ，１３ｂの下端寄りの外周に１８０度間隔で一体的に形成されている。
【００１５】
ワイヤ係止具１２の頭部１２ａの上面側には、その半径方向に開口した係止溝１２ｄが設けられ、ワイヤ係止具１３の頭部１３ａの上面側には、その直径方向に開口した係止溝１３ｄが設けられている。ワイヤ係止具１２の係止溝１２ｄは、軸部１２ｂの軸心１２ｅの位置で閉塞された状態に形成され、ワイヤ係止具１３の係止溝１３ｄは、軸部１３ｂの軸心１３ｅと交差する方向に連続した状態に形成されている。
【００１６】
図１に示すように、ワイヤ係止具１２，１３はそれぞれの軸部１２ｂ，１３ｂ及び球状部１２ｃ，１３ｃを歯型模型１１の歯頸部１１ｂ中に埋設した状態で固定されている。ワイヤ係止具１２，１３の軸部１２ｂ，１３ｂの外周にそれぞれ一体的に形成されている球状部１２ｃ，１３ｃは、外力が加わったときにワイヤ係止具１２，１３が傾いたり、回転したり、歯頸部１１ｂから離脱したりするのを防止するアンカ機能を有する。
【００１７】
図１、図４に示すように、ワイヤ係止具１２の頭部１２ａの係止溝１２ｄには歯科矯正用ワイヤ２０（若しくはアイディアルアーチワイヤ２１）の端部が嵌入・離脱可能であり、ワイヤ係止具１３の頭部１３ａの係止溝１３ｄにはアイディアルアーチワイヤ２１（若しくはアイディアルアーチワイヤ２１）の一部（端部以外の部分）が嵌入・離脱可能である。
【００１８】
次に、図４を参照し、歯科矯正用器具作製治具１０の使い方について説明する。図４に示すように、歯科矯正用器具作製治具１０を構成する歯型模型１１の歯列部１１の舌側に配置された複数のワイヤ係止具１２，１３の頭部１２ａ，１３ａの係止溝１２ｄ，１３ｄ内に、歯科矯正ワイヤ２０を屈曲させて作製したアイディアルアーチワイヤ２１の一部を嵌入させることによって固定する。この場合、アイディアルアーチワイヤ２１の両端部はそれぞれ二つのワイヤ係止具１２の係止溝１２ｄ内に嵌入され、アイディアルアーチワイヤ２１の屈曲部分に近い二つの箇所がそれぞれ二つのワイヤ係止具１３の係止溝１３ｄ内に嵌入される。
【００１９】
図４に示すようにセットすると、アイディアルアーチワイヤ２１は歯型模型１１に対し一定姿勢で保持されるため、この状態で、患者の歯とアイディアルアーチワイヤ２１との間に介在させるブラケット（図示せず）のポジショニング（位置合わせ作業）を行うことができる。位置合わせ作業中、アイディアルアーチワイヤ２１は簡単に動かないように保持されるため、セットアップ歯型模型１１に対するブラケットの位置決め作業を容易かつ正確に行うことができ、作業者の肉体的負担も軽減することができる。
【００２０】
アイディアルアーチワイヤ２１は、歯型模型１１のワイヤ係止具１２，１３の係止溝１２ｄ，１３ｄに嵌入・離脱可能であるため、使用しないときは、アイディアルアーチワイヤ２１を歯型模型１１から取り外して収納しておくことができる。また、再度、ブラケットの位置合わせ作業が必要となったときなどは、アイディアルアーチワイヤ２１をワイヤ係止具１２，１３の係止溝１２ｄ，１３ｄに嵌入させることにより、歯型模型１１に対する正確な位置にアイディアルアーチワイヤ２１を再セットすることができ、この後に行われる再度のブラケットの位置合わせ作業も容易かつ正確に行うことができる。
【００２１】
その他、図１に示す歯科矯正用器具作製治具１０の優れている点は以下の通りである。
（１）カリエス処置後のＳＥＴ−ＵＰの差し替えや、トルクの変更もアイディアルアーチワイヤ２１をセットした状態で行うことができるので、ＳＥＴ−ＵＰ模型を調整し易い。
（２）アイディアルアーチワイヤ２１をセットした状態で咬合を確認することができる。
（３）アイディアルアーチワイヤ２１の固定部分を全て歯頸部にもってきているため、歯牙を覆って形成されるレジンベースの面積を確保することができ、安定したコアを作製することができる。
（４）チューブブラケットにも対応できる。
（５）カスタムワイヤを準備し易く、ワイヤベンディングが見易い。
（６）作製されたアイディアルアーチワイヤ２１は、フィニッシングワイヤとしても利用することが可能である。
（７）アイディアルアーチワイヤ２１を左右後方部分に固定するため、アイディアルアーチワイヤ２１の左右のズレが生じない。
【産業上の利用可能性】
【００２２】
本発明の歯科矯正用器具作製治具及び歯科矯正用器具作製方法は、歯列を矯正するために患者の口腔内に装着される歯科矯正用器具を作る技術として、歯科矯正分野において、広く利用することができる。
【符号の説明】
【００２３】
１０  歯科矯正用器具作製治具
１１  セットアップ歯型模型
１１ａ  歯列部
１１ｂ  歯頸部
１２，１３  ワイヤ係止具
１２ａ，１３ａ  頭部
１２ｂ，１３ｂ  軸部
１２ｃ，１３ｃ  球状部
１２ｄ，１３ｄ  係止溝
１２ｅ，１３ｅ  軸心
２０  歯科矯正用ワイヤ
２１  アイディアルアーチワイヤ
【図１】
0005121961.tif 000002
【図２】
0005121961.tif 000003
【図３】
0005121961.tif 000004
【図４】
0005121961.tif 000005